(57)【要約】      （修正有）【課題】簡素化された構造のもとに、屋根材と野地板との間において高い通気効率を保持し得る建築物の屋根構造体を提供する。【解決手段】屋根構造体において、屋根材３を、建築物の軒先に沿って山部３ａと谷部が交互に繰り返され、かつ、山部３ａ、谷部がそれぞれ屋根の軒先から棟に向けて連続的に伸びる波形形状をなす板材からなるもので構成する。山部３ａに、屋根の軒先側に位置する水下末端部において山部３ａの内側空間Ｍと一直線に連なり、山部３ａの内側空間Ｍ内に外気を自然吸気若しくは機械的な強制吸気により取り込んで屋根の棟側から自然排気若しくは強制排気させる外気導入口４を設ける。また、野地板１の表面に覆い被さるルーフィング２として防水透湿ルーフィングを用いる。【選択図】図３
0003231763.tif 000002
【実用新案登録請求の範囲】
【請求項１】
野地板の表面に覆い被さるルーフィングと、該ルーフィングを介して該野地板に固定される屋根材とを備えた建築物の屋根構造体であって、
前記屋根材は、建築物の軒先に沿って山部と谷部が交互に繰り返され、かつ、該山部、該谷部がそれぞれ該屋根の軒先から棟に向けて連続的に伸びる波形形状をなす板材からなり、
該山部は、該屋根の軒先側に位置する水下末端部において該山部の内側空間と一直線に連なり、該山部の内側空間内に外気を自然吸気若しくは機械的な強制吸気により取り込んで屋根の棟側から自然排気もしくは強制排気させる外気導入口を有し、該ルーフィングは、防水透湿ルーフィングであることを特徴とする建築物の屋根構造体。
【請求項２】
前記屋根材の少なくとも谷部は、屋根の軒先側に位置する水下末端部が、屋根の軒先先端部よりも水上側に位置するものであることを特徴とする請求項１に記載した建築物の屋根構造体。
【請求項３】
前記屋根材は、前記ルーフィングの上に設置、固定される軒先水切りを備え、該軒先水切りは、該ルーフィングの上に位置する本体部分と、該本体部分に片持ち状態で一体連結し、建築物の屋根の軒先先端部を覆う面戸からなり、該本体部分に、該山部の内側空間内において立ち上がり、前記外気導入口を通して吹き込まれる雨水の侵入を防止する止水板を設けたことを特徴とする請求項１または２に記載した建築物の屋根構造体。
【請求項４】
前記止水板は、幅方向の端部において隣接する止水板を相互につなぎ合わせるとともに屋根材の谷部をその下側面より支える連結片を有し、該連結片に、屋根の軒−棟に向けて貫通する水抜き孔を設けたことを特徴とする請求項３に記載した建築物の屋根構造体。
【請求項５】
前記屋根材を、建築物の軒先に沿って伸延し、屋根の軒から棟に向けて間隔をおいて配置される複数本の横桟を介して野地板に固定してなることを特徴とする請求項１〜４のいずれか１項に記載した建築物の屋根構造体。
【請求項６】
前記横桟は、屋根の軒−棟方向に向けて貫通する少なくとも１つの水抜き孔を有することを特徴とする請求項５に記載した建築物の屋根構造体。
【請求項７】
前記屋根材を、前記ルーフィングと前記野地板との間で、かつ、前記山部の内側空間内に配置される複数本の縦桟を介して野地板に固定してなることを特徴とする請求項１〜４のいずれか１項に記載した建築物の屋根構造体。
【考案の詳細な説明】
【技術分野】
【０００１】
本考案は、戸建や集合住宅や事務所、マンション、福祉施設、リゾート施設等の建築物の屋根に適用して好適な屋根構造体に関するものである。
【背景技術】
【０００２】
建築物の屋根の通気構造に関する先行技術としては、例えば、特許文献１、２に開示されたものが知られているが、従来の通気構造は、複雑な構造からなる桟木あるいは複数の通気板を用いる必要があり、施工コストの上昇が避けられない不利があった。
【先行技術文献】
【特許文献】
【０００３】
【特許文献１】特開２０１３−２３４５３３号公報
【特許文献２】特開２００８−１２１４１１号公報
【考案の概要】
【考案が解決しようとする課題】
【０００４】
本考案の目的は、簡素化された構造のもとに、屋根材と野地板との間において高い通気効率を保持し得る建築物の屋根構造体を提案するところにある。
【課題を解決するための手段】
【０００５】
本考案は、野地板の表面に覆い被さるルーフィングと、該ルーフィングを介して該野地板に固定される屋根材とを備えた建築物の屋根構造体であって、前記屋根材は、建築物の軒先に沿って山部と谷部が交互に繰り返され、かつ、該山部、該谷部がそれぞれ該屋根の軒先から棟に向けて連続的に伸びる波形形状をなす板材からなり、該山部は、該屋根の軒先側に位置する水下末端部において該山部の内側空間と一直線に連なり、該山部の内側空間内に外気を自然吸気若しくは機械的な強制吸気により取り込んで屋根の棟側から自然排気若しくは強制排気させる外気導入口を有し、該ルーフィングは、防水透湿ルーフィングであることを特徴とする建築物の屋根構造体である。
【０００６】
上記の構成からなる建築物の屋根構造体において、前記屋根材の少なくとも谷部は、屋根の軒先側に位置する水下末端部が、屋根の軒先先端部よりも水上側に位置するものであること、前記屋根材は、前記ルーフィングの上に設置、固定される軒先水切りを備え、該軒先水切りは、該ルーフィングの上に位置する本体部分と、該本体部分に片持ち状態で一体連結し、建築物の屋根の軒先先端部を覆う面戸からなり、該本体部分に、該山部の内側空間内において立ち上がり、前記外気導入口を通して吹き込まれる雨水の侵入を防止する止水板を設けたこと、前記止水板は、幅方向の端部において隣接する止水板を相互につなぎ合わせるとともに屋根材の谷部をその下側面より支える連結片を有し、該連結片に、屋根の軒−棟に向けて貫通する水抜き孔を設けたこと、前記屋根材を、建築物の軒先に沿って伸延し、屋根の軒から棟に向けて間隔をおいて配置される複数本の横桟を介して野地板に固定してなること、前記横桟は、屋根の軒−棟方向に向けて貫通する少なくとも１つの水抜き孔を有すること、さらに、前記屋根材を、前記ルーフィングと前記野地板との間で、かつ、前記山部の内側空間内に配置される複数本の縦桟を介して野地板に固定してなること、が課題解決のための具体的手段として好ましい。
【考案の効果】
【０００７】
本考案によれば、屋根材を、建築物の軒先に沿って山部と谷部が交互に繰り返され、かつ、該山部、該谷部がそれぞれ該屋根の軒先から棟に向けて連続的に伸びる波形形状をなす板材からなるものとし、該山部に、該屋根の軒先において該山部の内側空間と一直線に連なる向きに開放され、該山部の内側空間内に外気を自然吸気若しくは機械的な強制吸気により取り込んで該屋根の棟側から自然排気若しくは強制排気させる外気導入口を設けたことにより、簡素化された構造のもとに高い通気効率を保持することが可能となり、屋根材と野地板との間における温度上昇の抑制、湿気の低減を図ることができる。
【図面の簡単な説明】
【０００８】
【図１】本考案にしたがう建築物の屋根構造体の実施の形態を、部分的に取り出して模式的に示した外観斜視図である。
【図２】図１に示した屋根構造体において屋根材をルーフィングから引き離した状態を示した外観斜視図である。
【図３】図１に示した屋根構造体の軒−棟方向の断面を模式的に示した図である。
【図４】図１に示した屋根構造体の正面を示した図である。
【図５】谷部を流れる雨水の減速状況の説明図である。
【図６】本考案にしたがう建築物の屋根構造体の他の実施の形態を模式的に示した図である。
【図７】図６の正面の要部を拡大して示した図である。
【図８】図６に示した屋根構造体の分解状態を示した外観斜視図である。
【図９】本考案にしたがう建築物の屋根構造体のさらに他の実施の形態を模式的に示した図である。
【図１０】図９の正面の要部を拡大して示した図である。
【図１１】図９に示した屋根構造体の分解状態を示した外観斜視図である。
【図１２】横桟を用いて屋根材を固定した場合と縦桟を用いて屋根材を固定した場合におけるけらば高さを比較した図である。
【考案を実施するための形態】
【０００９】
以下、図面を参照して、本考案をより具体的に説明する。
図１は、本考案にしたがう建築物の屋根構造体の実施の形態を、部分的に取り出して模式的に示した外観斜視図であり、図２は、図１に示した屋根構造体において屋根材をルーフィングから引き離した状態を示した外観斜視図である。また、図３は、図１に示した屋根構造体の軒−棟方向の断面を模式的に示した図であり、図４は、図１に示した屋根構造体の正面図（軒先水切りの面戸は表示せず）である。
【００１０】
図１〜４における符号１は、建築物の屋根の下地を形成する野地板、２は、野地板１の表面に覆い被さるルーフィングである。ルーフィング２は、雨水の、野地板１側への侵入を防止する機能を有しており、アスファルトルーフィングや改質アスファルトルーフィングあるいは小屋裏の湿気を野地板１への表面側へと放出できる防水透湿ルーフィングが適用される。
【００１１】
また、図における符号３は、ルーフィング２を介して野地板１に固定される屋根材である。屋根材３は、建築物の軒先に沿って山部３ａと谷部３ｂが交互に繰り返され、かつ、山部３ａ、谷部３ｂがそれぞれ屋根の軒先から棟に向けて連続的に伸びる波形形状をなす板材が用いられる。なお、本考案において「軒先に沿って」とは、屋根材３が軒先に平行方向に配置される場合の他、多少の角度が付されて配置される場合を含むものとする。
【００１２】
屋根材３としては、板厚が０．３〜０．９ｍｍ程度の亜鉛めっき鋼板、アルミニウム−亜鉛めっき鋼板、ステンレス鋼板、銅板、塗装鋼板等からなる縦葺タイプあるいは横葺タイプの屋根材を用いることができるが、板厚や材質、葺きあげタイプについてはとくに限定されない。また、本考案の実施の形態では、軒から棟に向けて一定の間隔で山部３ａ、谷部３ｂに幅方向に伸延する段差ｄを形成したものを例として示したが、段差ｄを有しないストレートタイプの屋根材であってもかまわない。山部３ａのピッチは３０〜２００ｍｍ程度、高さは１０〜１００ｍｍ程度に設定される。
【００１３】
また、図における符号４は、山部３ａの水下末端部３ａ１に設けられた外気導入口である。外気導入口４は、山部３ａの内側空間Ｍと一直線に連なって開放されたものとなっており、山部３ａの内側空間Ｍに外気を自然吸気により取り込み、図３の矢印にしたがい屋根の軒側（換気棟）から屋根材３の谷部３ｂを経て自然排気させるものである。
【００１４】
外気導入口４と屋根材３の谷部３ｂの水下末端部３ｂ１は、屋根の軒先先端部よりも寸法Ｌ（少なくとも５ｍｍ程度）だけ水上側（軒側）に後退させた場合を例として示しているが、これにより、谷部３ｂを通って軒に向けて流下する雨水の速度を、寸法Ｌの範囲内で減速させることができるようになっている。なお、雨水の流下する速度を減速させるには、少なくとも谷部３ｂの、屋根の軒先側に位置する水下末端部３ｂ１が屋根の軒先先端部よりも水上側に位置していればよく、外気導入口４については、屋根の軒先先端部に位置したものであってもよい。
【００１５】
また、図における符号５は、ルーフィング２の上に設置、固定される軒先水切りである。軒先水切り５は、ルーフィング２の上に位置する本体部分５ａと、該本体部分５ａに片持ち状態で一体連結し、屋根の軒先先端部を覆う面戸５ｂから構成されており、本体部分５ａには山部３ａの内側空間Ｍ内において５〜１５ｍｍ程度の高さでもって立ち上がり、外気導入口４を通して吹き込まれた雨水の侵入を防止する止水板５ｃが設けられている。
【００１６】
また、図における符号６は、止水板５ｃの幅方向の端部に設けられた連結片である。連結片６は、隣接する止水板５ｃを相互につなぎ合わせるとともに屋根材３の谷部３ｂをその下側面より支えるものである。また、符号７は、連結片６に設けられた水抜き孔であり、この水抜き孔７は、屋根の軒−胸に向けて連結片６を貫通するように設けられており、止水板５ｃを乗り越えて山部３ａの内側空間Ｍ内に侵入した雨水を排出することができるようになっている。
【００１７】
また、図における符号８は、屋根材３の山部３ａの頂部から野地板１、桁あるいは母屋に打ち込まれ屋根材３をルーフィング２を介して野地板１に固定するねじである。
【００１８】
本考案にしたがう建築物の屋根構造体は、外気導入口４より自然吸気若しくは機械的に強制吸気された外気が、屋根材３の内側空間Ｍを通して通気され、屋根の棟側（換気棟）の、例えば、谷部３ｂを経て外界へと自然排気若しくは強制排気させることを可能とするものであり、簡素化された構造のもとで屋根材３と野地板１の間における通気効率を高めることができる。
【００１９】
波形形状をなす屋根材３においては、谷部３ｂにおいて雨水が集中して流れるため、雨水の流下速度が比較的大きく、軒樋の受け口を幅広にしなければ谷部３ｂを流下する雨水が軒樋ｔを飛び越えてしまい軒樋ｔで雨水を受けることができないことも懸念されるが、本考案では、図５に示すように、谷部３ｂを流下する雨水の速度を軒先水切り５の寸法Ｌの範囲で一旦流すことにより減速させることが可能であり、幅広の軒樋ｔを使用する必要がなく、軒樋ｔの選択の自由度が高い利点がある。
【００２０】
図６は、本考案にしたがう建築物の屋根構造体の他の実施の形態を模式的に示した図であり、図７は、図６の正面の要部を拡大して示した図（軒先水切りは表示せず）である。また、図８は、図６に示した屋根構造体の分解状態を示した外観斜視図である。
【００２１】
図６〜８における符号９は、建築物の軒先に沿って伸延し、屋根の軒から棟に向けて間隔をおいて配置された横桟、１０は、横桟９に設けられた水抜き孔である。水抜き孔１０は、屋根の軒―棟方向に向けけて横桟９を貫通するように形成されている。屋根材３は、横桟９を介して野地板１に固定される。
【００２２】
屋根材３を、ねじ８を用いて直接野地板１あるいは桁、母屋等に固定した場合、野地板１には、ねじ８による穴が複数形成され、その穴を通して雨水が小屋裏に侵入することも懸念されるが、横桟９を介して屋根材３を野地板１に固定することにより野地板１に形成される穴の数を低減することができ、止水性の改善を図ることができる。
【００２３】
図９は、本考案にしたがう建築物の屋根構造体のさらに他の実施の形態を模式的に示した図であり、図１０は、図９の正面の要部を拡大して示した図（軒先水切りは表示せず）であり、図１１は、図９に示した屋根構造体の分解状態を示した外観斜視図である。
【００２４】
図９〜１１における符号１１は、ルーフィング２と野地板１との間で、かつ、山部３ａの内側空間Ｍ内に配される縦桟である。屋根材３は、縦桟１１を用いて野地板１に固定することも可能である。この場合、ルーフィング２として防水透湿ルーフィングを用い、これを、縦桟１１を覆うように配置することにより止水性のより一層の改善が望め、縦桟１１の湿気も排出することができる。また、横桟９を用いて固定する場合に比べねじ８の長さを短縮することが可能であり、屋根材３の、野地板１に対する設置レベルを低くできる利点がある。
【００２５】
図１２は、横桟９を用いて屋根材３を固定した場合と縦桟１１を用いて屋根材３を固定した場合における屋根の「けらば」高さを比較した図である。とくに、縦桟１１を用いて屋根材を固定した場合にあっては、「けらば」高さＨ１を横桟９を用いて屋根材３を固定した場合の「けらば」高さＨ２に比較して１０ｍｍ以上低くすることが可能であり、屋根の「けらば」にシャープな印象を与え、美観の改善に寄与することができる。
【産業上の利用可能性】
【００２６】
本考案によれば、構造の簡素化を図りつつも通気効率の高い屋根構造体が提供できる。
【符号の説明】
【００２７】
１      野地板
２      ルーフィング
３      屋根材
３ａ    山部
３ａ１  水下末端部
３ｂ    谷部
３ｂ１  水下末端部
４      外気導入口
５      軒先水切り
５ａ    本体部分
５ｂ    面戸
５ｃ    止水板
６      連結片
７      水抜き孔
８      ねじ
９      横桟
１０    水抜き孔
１１    縦桟
ｄ      段差
Ｍ      内側空間
Ｌ      寸法
ｔ      軒樋
Ｈ１    「けらば」高さ
Ｈ２    「けらば」高さ
【図１】
0003231763.tif 000003
【図２】
0003231763.tif 000004
【図３】
0003231763.tif 000005
【図４】
0003231763.tif 000006
【図５】
0003231763.tif 000007
【図６】
0003231763.tif 000008
【図７】
0003231763.tif 000009
【図８】
0003231763.tif 000010
【図９】
0003231763.tif 000011
【図１０】
0003231763.tif 000012
【図１１】
0003231763.tif 000013
【図１２】
0003231763.tif 000014